(57)【要約】【課題】  形の異なる2種類の付属品を同時に1つの凹所に収納することができ、もって凹所を有効に使用することができる回路遮断器を提供する。【解決手段】ハンドル６の回動操作により接点を開閉駆動するとともに接点に異常電流が流れると接点を強制開極する開閉・トリップ機構と、一面に開口面を有しハンドル６が開口面９に位置するように開閉・トリップ機構を収納したボディ１と、このボディ１の開口面９に取着されるものであって開口面９とは反対側でかつハンドル６の開閉方向とは直交するハンドル６の両側に形成された２つの凹所１０、１１を有する主力バー２と、主力バー２に取付けられて各凹所１０、１１を閉塞する補助カバー３とを備えた回路遮断器において、各凹所１０、１１は、外形の異なる2種類の付属品を同時に収納可能に形成されている。【選択図】        図１
2005071838.tif 000002
【特許請求の範囲】
【請求項１】
ハンドルおよび接点を有して前記ハンドルの回動操作により前記接点を開閉駆動するとともに前記接点に異常電流が流れると前記接点を強制開極する開閉・トリップ機構と、一面に開口面を有し前記ハンドルが前記開口面に位置するように前記開閉・トリップ機構を収納したボディと、このボディの前記開口面に取着されるものであって前記開口面とは反対側でかつ前記ハンドルの開閉方向とは直交する前記ハンドルの両側に形成された２つの凹所を有する主力バーと、前記主力バーに取付けられて前記各凹所を閉塞する補助カバーとを備えた回路遮断器において、
前記各凹所は、外形の異なる2種類の付属品を同時に収納可能に形成されたことを特徴とする回路遮断器。
【請求項２】
前記各凹所は、前記2種類の付属品をハンドルの開閉方向に対して直交する方向で並設し得る形に形成された請求項１記載の回路遮断器。
【請求項３】
前記各凹所のうち前記ハンドルに近い側および遠い側で各々同一形状の付属品を収納することを特徴とする請求項2記載の回路遮断器。
【請求項４】
前記主力バーに、前記2つの凹所のうちの少なくとも一方側に形成されるものであって、前記凹所から前記ボディ側に貫通してリード線を挿通させるリード線挿通孔を形成し、前記ボディの底面側に、前記リード線挿通孔から挿通された前記リード線をガイドするガイド溝を設けた請求項１、請求項２または請求項３記載の回路遮断器。
【発明の詳細な説明】
【技術分野】
【０００１】
本発明は、主力バーに形成された凹所に警報スイッチ、補助スイッチ、不足電圧引外し装置、漏電表示装置などの付属品を収納し、この凹所を補助カバーで塞ぐ回路遮断器に関するものである。
【背景技術】
【０００２】
従来例として、特許文献１に示すものが存在する。このものは、ハンドルのあるボディ上面の主力バーで、ハンドルの両側に形成された２つの凹所のうちの一万に補助スイッチや警報スイッチ等の第１付属品を収納するとともに、他方に電圧が低下したとき接点を強制開極させる不足電圧引外し装置や遠隔で開閉接点を閉路させる電圧引外し装置等の第２付属品を収納し、この主力バーに補助カバーを取着して各凹所を塞ぐものである。
【０００３】
ここで、2つの凹所は第1付属品を3つ同時に収納する大きさであって第2付属品を1つ収納する大きさに形成されており、どちらにでも第1付属品や第2付属品を収納することができるようになっている。
【０００４】
しかしながら、形の異なる第1付属品と第2付属品とを同時に一方の凹所に収納することができない。このため、2つの凹所に第1付属品（または第2付属品）を各々収納すると第2付属品（または第1付属品）は収納することができず、凹所を有効に使用することができないという問題があった。
【特許文献１】特開2002−93301号公報
【発明の開示】
【発明が解決しようとする課題】
【０００５】
本願発明は、上記背景技術に鑑みて発明されたものであり、その課題は、形の異なる2種類の付属品を同時に1つの凹所に収納することができ、もって凹所を有効に使用することができる回路遮断器を提供することにある。
【課題を解決するための手段】
【０００６】
この発明の回路遮断器は、ハンドルおよび接点を有して前記ハンドルの回動操作により前記接点を開閉駆動するとともに前記接点に異常電流が流れると前記接点を強制開極する開閉・トリップ機構と、一面に開口面を有し前記ハンドルが前記開口面に位置するように前記開閉・トリップ機構を収納したボディと、このボディの前記開口面に取着されるものであって前記開口面とは反対側でかつ前記ハンドルの開閉方向とは直交する前記ハンドルの両側に形成された２つの凹所を有する主力バーと、前記主力バーに取付けられて前記各凹所を閉塞する補助カバーとを備えた回路遮断器において、
前記各凹所は、外形の異なる2種類の付属品を同時に収納可能に形成されたことを特徴とするものである。
【０００７】
上記構成において、前記各凹所は、前記2種類の付属品をハンドルの開閉方向に対して直交する方向で並設し得る形に形成されている。
【０００８】
上記構成において、前記各凹所のうち前記ハンドルに近い側および遠い側で各々同一形状の付属品を収納する。
【０００９】
上記構成において、前記主力バーに、前記2つの凹所のうちの少なくとも一方側に形成されるものであって、前記凹所から前記ボディ側に貫通してリード線を挿通させるリード線挿通孔を形成し、前記ボディの底面側に、前記リード線挿通孔から挿通された前記リード線をガイドするガイド溝を設けている。
【発明の効果】
【００１０】
この発明の回路遮断器によれば、2つの収納凹所のうちの一方に第1形状の付属品を配設するとともに他方に第2形状の付属品を配設したり、2つの収納凹所のうちの一方にのみ第1形状および第2形状の付属品を配設するとともに他方に何も配設しなかったりすることができる。このため、使用用途に応じて2種類の形状の付属品をハンドルの両側のどちらにでも配設することができる。具体的には、例えば2種類の形状の付属品のうちの1つが警報スイッチや補助スイッチ等であった場合、その引出線の引き回し箇所によってハンドル両側のどちらでも配設することができる。また、2種類の形状の付属品を2セット配設することができ、凹所を有効に使用できる。
【００１１】
前記各凹所は、前記2種類の付属品をハンドルの開閉方向に対して直交する方向で並設し得る形に形成されると、２種類の付属品を横並びに並設することができ、複数極の回路遮断器に対して開閉・トリップ機構と付属品とを連動させ易くすることができる。
【００１２】
前記各凹所のうち前記ハンドルに近い側および遠い側で各々同一形状の付属品を収納すると、外側に引出し線を引出すような付属品を収納しておけば、2つの凹所のうちのどちらにこのような付属品を収納しても引出し線の引出し作業が容易となる。
【００１３】
前記凹所から前記ボディ側に貫通してリード線を挿通させるリード線挿通孔を形成し、前記ボディの底面側に、前記リード線挿通孔から挿通された前記リード線をガイドするガイド溝を設けると、付属品が例えば漏電発生時に漏電表示を行う漏電表示ブロックであった場合、その信号線となるリード線がボディ内でぶらぶらして例えばミストリップなど開閉・トリップ機構に影響を及ぼすのを防止することができる。
【発明を実施するための最良の形態】
【００１４】
この発明の第１の実施の形態の回路遮断器を図１から図１６により説明する。図１から図４において、回路遮断器の外観を示している。１はボディ、２は主カバー、３は補助カバー、４、５は付属品である。
【００１５】
ボディ１は一面例えば上面に開口を有し、ハンドル６が開口面９に位置するように開閉・トリップ機構を収納している。実施の形態では底面に例えばＤＩＮレール等のレール取付け用の係合部２４を有する３極型漏電遮断器であり、７、８は例えば電源側および負荷側の端子であり、ハンドル６がほぼ上面の中央部に設けられている。
【００１６】
主カバー２は、ボディ１の開口面９に取着されるものであって、開口面９とは反対側でかつハンドル６の開閉方向とは直交するハンドル６の両側に形成された２つの凹所１０、１１を有する。各凹所１０、１１は、外形の異なる2種類の付属品４、５を同時に収納可能に形成されている。各凹所１０、１１は、２種類の付属品４、５をハンドル６の開閉方向に対して直交する方向で並設し得る形に形成されている。この場合、各凹所１０、１１のうちハンドル６に近い側および遠い側で各々同一形状の付属品４、５を収納する。実施の形態では付属品４、５を位置決めするための位置決め突部２８、２９を凹所１０、１１に設けている。なお、凹所１０のみに付属品４、５を収納している。付属品４は例えば漏電引外し兼漏電表示装置であり、上面に漏電表示ボタン１５およびテストボタン１６が設けられている。付属品５は例えば補助スイッチであり、接点のオンオフを表示するためのスイッチ２６およびトリップ動作を警報するためのスイッチ２７を内蔵している。凹所１０、１１にはそれぞれ付属品５のリード線１４を挿通するためのリード線挿通用の切欠き部１２を形成し、これらに連続するようにボディ１の側面に負荷側に延びるＬ字形の溝１３が形成されている。
【００１７】
補助カバー３は、主力バー２に取付けられて各凹所１０、１１を閉塞する。切欠き部１２を閉塞するための閉塞片２１も形成している。１７はハンドル挿通孔、１８、１９はボタン挿通孔、２０は止めねじである。
【００１８】
図５から図７はボディ１の内部構造および補助スイッチ５との関係を示している。ボディ１内には開閉・トリップ機構３１を収納している。この開閉・トリップ機構３１は、ハンドル６および接点３２、３３を有して、ハンドル６の回動操作により接点３２を開閉駆動するとともに接点３２に異常電流が流れると接点３２を強制開極するものである。図では、端子７に設けた固定接点３３、可動接点３２を先端に有する可動接触子３４、可動接触子３４を軸３７により一定範囲で回動可能に保持した回動自在な接触子保持体３５、接触子保持体３５に設けた接点圧付与ばね３６、各極のいずれかのトリップ動作に連動して回動するトリップ連動棒３８、過大な異常電流を検出する異常電流検出手段である例えばオイルダッシュポット３９が示されている。ハンドル６と接触子保持体３５との間はラッチ部材を伴うリンク機構により連接され、ラッチ部材はトリップ連動棒３８に連動する引外しリンクにラッチされている。オイルダッシュポット３９はヨーク４１、オイルおよび可動鉄心の入ったポット本体４２、復帰ばね４５により付勢された可動鉄片４３、コイル４４により構成されている。コイル４４は一端が可撓電線を介して可動接触子３４に接続され、他端が端子８に接続され、これらにより内部電路を構成している。電路に短絡電流が流れると瞬時に可動鉄片４３をポット本体４２のヘッドに吸引し、過電流が流れると内部の可動鉄心が油の粘性に抗して移動して可動鉄片４３を吸引する。これらの可動鉄片４３の動作により後述のようにトリップ連動棒３８の被押圧片３８ａが押される。
【００１９】
一方、補助スイッチ５のオンオフ表示スイッチ２６は底部よりボディ１内に連動手段である例えばレバー４７の外端４７ｂが貫通し突き出している。このレバー４７は中間部が補助スイッチケースに設けた軸４８に軸支され、ばね（図示せず）により反時計回りに回動付勢され、その内端４７ａはスイッチ２６を操作するスイッチ片４９を押圧している。レバー４７の外端４７ｂは接触子保持体３５の外周の突条のカム部３５ａに配置されている。トリップ警報スイッチ２７は、補助スイッチケースに連動手段である例えばスライドレバー４９がスライド自在に配置され一部が底部よりボディ１内に突出している。スライドレバー４９はスイッチ２７を操作するスイッチ片５０を押した位置にばねにより支持され、外端部４９ａはトリップ連動棒３８の押圧片３８ｂに対向している。
【００２０】
図５はハンドル６の操作による接点のオン状態、図６はオフ状態であり、オン状態ではオンオフ表示スイッチ２６のスイッチ片４９を押し、オフ状態では接触子保持体３５のカム部３５ａでレバー４７の外端部を押してスイッチ片４９から離れ、このときのスイッチ片４９の動作を信号としてリード線１４を介して外部に取り出し、例えば管理装置に伝達している。このスイッチ動作がなければ、たとえハンドル６がオフ方向に操作されたとしてもオフ表示されないので接点が開極してなく接点溶着等の状態になっていることを示すことになる。
【００２１】
図７はトリップ状態である。オン状態で過大電流が流れることにより、オイルダッシュポット３９の可動鉄片４３がポット本体４２に吸引され、可動鉄片４３でトリップ連動棒３８の被押圧片３８ａを押し、トリップ連動棒３８が回動し、トリップリンクを作動しラッチ部材を釈放し接触子保持体３５を回動させ、可動接触子３４を開極させる。これと同時にトリップ連動棒３８の押圧片３８ｂでスライドスイッチ４９の外端部を押し、内端部がスイッチ片５０から離れ、トリップ警報スイッチ２７のスイッチ動作が行われ、その出力信号がリード線１４を介して外部に取り出され、例えば管理装置に伝達される。接触子保持体３５の回動により上記したようにレバー４７が動作しスイッチ片４９から離れるが、スイッチ２７の動作によりオンオフ動作でなくトリップ動作であることが示される。一方、スイッチ２７が動作しスイッチ２６が動作していないときは引外しは行われたが接点溶着等のため接点は開いていないことを示すことになる。
【００２２】
図９から図１２は、漏電検出および漏電表示装置について示している。図９および図１０は端子７、８間の電路において、可動接触子３４をオイルダッシュポット３９のコイル４４に接続する可撓電線５２を漏電検出手段である例えば零相変流器５３の１次側として貫通している。零相変流器５３の２次側のリード線５５は漏電検出および表示のための制御回路を実装した回路基板５４に接続されている。零相変流器５３および回路基板５４はボディ１の底部に収納されている。主力バー２の２つの凹所１０、１１のうちの少なくとも一方側に、凹所１０、１１からボディ１側に貫通して漏電引外し兼表示装置である付属品４のリード線５７を挿通させるリード線挿通孔６０を形成している。そしてリード線挿通孔６０に対してボディ１の底面側に、リード線挿通孔６０から挿通されたリード線５７をガイドするガイド溝６１を設けている。これらのリード線５７は漏電引外し兼表示装置のテストスイッチ６３および引外しコイル６４より引き出され回路基板の制御回路に接続されている。また不平衡電流発生回路を構成し、テストスイッチ６３の動作に応じて零相変流器５３に不平衡電流を発生させるためのリード線６５が回路基板に配線されている。
【００２３】
漏電引外し兼表示装置は引外しコイル６４と、この引外しコイル６４の中心に配置され突出方向にばね６６により付勢されたプランジャ６７と、プランジャ６７と交差し、例えば切欠きやスリットによる貫通部６８にプランジャ６７を挿通した漏電表示ボタン１５を有する。プランジャ６７は突出状態で漏電表示ボタン１５が補助カバー３の貫通孔１８から突出しない没入状態で係合し、かつ、プランジャ６７の後退状態で漏電表示ボタン１５がボタン挿通孔１８からばね７０により突出する状態に係合するように中間部に切欠き７１を形成している。プランジャ６７の先端の引外し部６７ａはトリップ連動棒３８の押圧片３８ｃの側部に突設した検出片（図示せず）に係合している。また漏電表示ボタン１５の後端部に可動接点３２のオン状態で接触子保持体３５に設けた復帰用係合部７３により引き戻される係止部７４を設けている。
【００２４】
図１１は接点のオン状態、図１２は漏電トリップ状態である。可動接点３２のオン状態でハンドル６や過大電流によるトリップにより可動接点３２が開となった場合には接触子保持体３５が回動するが、プランジャ６７は動作しないので表示ボタン１５は没入したままである。つぎにオン状態で零相変流器５３により不平衡電流を検出し、その２次側より出力信号が制御回路に入力され漏電検出されると制御回路より引外し電流が引外しコイル６４に供給される。引外しコイル６４に引外し電流が流れるとばね６６に抗してプランジャ６７が吸引され、これによってプランジャ６７の引外し部６７ａが検出片を引いてトリップ連動棒３８を回動し、トリップ機構が引外し動作し、可動接点３２が開極する。これにより漏電表示ボタン１５の引っ掛かりがなくなり漏電表示ボタン１５はばね７０により突出動作する。漏電の復旧後、オフ状態からハンドル６により接触子保持体３５を回動し可動接点３２をオンに操作すると係止部７４が復帰用係合部７３の回動により引かれて再び図９のように漏電表示ボタン１５は没入する。
【００２５】
テストスイッチ６３はテストボタン１６と、可動接点板８０と、固定接点板８１を有する。テストボタン１６は補助カバー３のボタン挿通孔１９より突出しており、内端部に可動接点板８０が斜めに配置されて可動接点板８０によりテストボタン１６を突出状態に支持しており、可動接点板８０に対応して先端部に固定接点板８１が配置されている。これらの接点板８０、８１がリード線５７に接続され、テストボタン１６を押すことにより可動接点板８０が固定接点板８１に接触して信号が回路基板５４の制御回路に伝達される。これにより、不平衡電流発生手段が動作し零相変流器５３に不平衡電流が発生し、零相変流器５３の２次側に出力電流が生じ、漏電が発生したのと同じ状態となり、制御回路により引外しコイルに引外し電流が供給されると、上記した漏電トリップ動作が行われる。
【００２６】
この発明の第２の実施の形態を図１３から図１６により説明する。図１３および図１４は付属品４ａ、５ａを主カバー２の図で左側の凹所１１に収納したものである。付属品４ａは付属品４と同形状の漏電引外し兼表示装置であるが、表示ボタンおよびテストボタンがなく、スイッチが設けられている。付属品５ａは付属品５と同じであり、オンオフを表示する。また表示ボタン１５およびテストボタン１６がないため補助カバー３にはボタン挿通孔１８，１９が形成されていない。
【００２７】
図１５および図１６は付属品４ａにおいて、漏電引外し装置の表示ボタンに代えて、スイッチ操作片８１が設けられ、スイッチ操作片８１によりスイッチ８５を動作する。引外しコイル６４およびプランジャ６７は付属品４と同様である。スイッチ操作片８１の中間部の貫通部８６をプランジャ６７が貫通し、スイッチ操作片８１の上端は可動接点板８０で押圧され、スイッチ操作片８１の下端は接触子保持体３５に設けられたカム８３に押付けられて摺接している。このためばね７０は不要である。可動接点板８０に対向して固定接点板８４が設けられている。図１５は可動接点３２のオン状態であり、カム８３によってスイッチ操作片８１は下方に移動し可動接点板８０は固定接点板８４に接触している。図１６は漏電引外し兼表示装置の引外しコイル６４に加わる電流によりプランジャ６７が動作し、これによりトリップ連動棒３８が回動し、これによりトリップ機構が動作して接触子保持体３５が回動し、可動接触子３４が開極した状態であり、スイッチ操作片８１はカム８３により押し上げられて可動接点板８０を押動し、可動接点板８０は固定接点板８４から開極し、このスイッチ動作の信号がリード線５７により外部の管理装置に伝達される。
【図面の簡単な説明】
【００２８】
【図１】この発明の第１の実施の形態の要部分解斜視図である。
【図２】補助カバーを外した状態の平面図である。
【図３】補助カバーを被せた状態の平面図である。
【図４】回路遮断器の側面図である。
【図５】付属品５の位置のオン状態の断面図である。
【図６】そのオフ状態の断面図である。
【図７】そのトリップ状態の断面図である。
【図８】主カバーを外した状態の平面図である。
【図９】底部を外した状態の底面図である。
【図１０】付属品４の位置のリード線の配線を示す断面図である。
【図１１】そのオン状態の断面図である。
【図１２】漏電トリップ状態の断面図である。
【図１３】第２の実施の形態の補助カバーを外した状態の平面図である。
【図１４】補助カバーを被せた状態の平面図である。
【図１５】付属品４ａの位置のオン状態の断面図である。
【図１６】オフ状態の断面図である。
【符号の説明】
【００２９】
１    ボディ
２    主カバー
３    補助カバー
４    付属品
５    付属品
４ａ  付属品
５ａ  付属品
６    ハンドル
９    開口面
１０    凹所
１１    凹所
３１    開閉・トリップ機構
３２    可動接点
３３    固定接点
５７    リード線
６０    リード線挿通孔
６１    ガイド溝
【図１】
2005071838.tif 000003
【図２】
2005071838.tif 000004
【図３】
2005071838.tif 000005
【図４】
2005071838.tif 000006
【図５】
2005071838.tif 000007
【図６】
2005071838.tif 000008
【図７】
2005071838.tif 000009
【図８】
2005071838.tif 000010
【図９】
2005071838.tif 000011
【図１０】
2005071838.tif 000012
【図１１】
2005071838.tif 000013
【図１２】
2005071838.tif 000014
【図１３】
2005071838.tif 000015
【図１４】
2005071838.tif 000016
【図１５】
2005071838.tif 000017
【図１６】
2005071838.tif 000018